(57)【要約】【課題】  強度の向上を図ると共に、折畳み（収納）状態の厚みを薄くできるようにした避難用梯子を提供すること。【解決手段】  複数の外側縦桟１１と内側縦桟１２をパンタグラフ状に連結してなる上下方向に伸縮可能な一対の伸縮体１３と、これら伸縮体１３間に配設され外側縦桟１１の下端部に連結される足掛け用横桟１４とを具備する避難用梯子において、外側縦桟１１を、連結される内側縦桟１２と背中合わせに重ねられる垂直片２１と、この垂直片２１の下端から外方側に折曲される水平片２２と、水平片２２の先端から下方に向かって折曲される横桟取付片２３とを具備する断面略クランク状に形成し、外側縦桟１１の長手方向における下端部に、折り畳まれた際に隣接する外側縦桟１１の横桟取付部を収容する切欠き段部２５を形成する。これにより、縦桟すなわち梯子の強度の向上が図れると共に、折畳み状態の厚みを薄くすることができる。【選択図】    図５
2005040469.tif 000002
【特許請求の範囲】
【請求項１】
複数の縦桟をパンタグラフ状に連結してなる上下方向に伸縮可能な一対の伸縮体と、これら伸縮体間に配設され上記縦桟の下端部に連結される足掛け用横桟とを具備する避難用梯子であって、
上記縦桟は、連結される縦桟と背中合わせに重ねられる垂直片と、この垂直片の下端から外方側に折曲される水平片と、水平片の先端から下方に向かって折曲される横桟取付片とを具備する断面略クランク状に形成され、この縦桟の長手方向における下端部に、折り畳まれた際に隣接する縦桟の横桟取付部を収容する切欠き段部を形成してなる、ことを特徴とする避難用梯子。
【請求項２】
請求項１記載の避難用梯子において、
上記縦桟の垂直片の上端及び横桟取付片の下端に、それぞれ補強片を折曲してなる、ことを特徴とする避難用梯子。
【請求項３】
請求項２記載の避難用梯子において、
上記縦桟の切欠き段部における垂直片及び補強片の端部面を塞ぎ板にて閉塞してなる、ことを特徴とする避難用梯子。
【請求項４】
請求項１又は２記載の避難用梯子において、
連結される縦桟における垂直片のいずれか一方に、他方の垂直片に設けられた透孔内に嵌挿されるバーリング部を設け、このバーリング部内を挿通するリベットにて縦桟同士を回動自在に枢着してなる、ことを特徴とする避難用梯子。
【請求項５】
請求項１又は２記載の避難用梯子において、
上記縦桟の横桟取付片に、横桟の端部を配設し、縦桟の長手方向における異なる位置の水平片及び横桟取付片を貫通する固定部材にて横桟を固定してなる、ことを特徴とする避難用梯子。
【請求項６】
請求項５記載の避難用梯子において、
上記横桟は、断面略コ字状に形成されると共に、縦桟の横桟取付片内に固定される取付端部以外が縦桟の水平片及び固定部材の頭部高さより若干外方側に隆起する膨隆部が形成され、かつ、開口縁部に、開口内方側に屈曲される補強屈曲片を形成してなる、ことを特徴とする避難用梯子。
【発明の詳細な説明】
【技術分野】
【０００１】
この発明は避難用梯子に関するもので、特に、集合住宅や事務所ビル等のベランダに設置される収納枠に取り付けて使用する折畳み式の避難用梯子に関するものである。
【背景技術】
【０００２】
従来、この種の避難用梯子としては、例えば複数の縦桟をパンタグラフ状に連結してなり上下方向に伸縮可能な一対の伸縮体と、この伸縮体間の適宜位置に配設され上記縦桟に連結される複数の足掛け用横桟とからなる避難用梯子が知られている（例えば、特許文献1参照）。
【特許文献１】特開平６−３９０４７号公報（特許請求の範囲、図1、図２）  上記避難用梯子は、不使用時には、ベランダに設置された収納枠内に折り畳まれた状態で収納され、使用時には、収納枠に取り付けられた上蓋を開放した状態で、階下側に所定の角度で展開されて、避難者を安全に誘導することができる。したがって、梯子を構成する縦桟及び横桟はある程度の強度を有することが必要である。そのため、上記特開平６−３９０４７号公報に記載の避難用梯子においては、縦桟は断面略コ字状に形成されている。また、断面略コ字状以外に断面矩形状（長方形状）のものも使用されている。
【発明の開示】
【発明が解決しようとする課題】
【０００３】
しかしながら、縦桟の断面形状をコ字状あるいは矩形状（長方形状）にすると、梯子を折り畳んだ状態では縦桟同士が重ね合わされるため、梯子の厚みは縦桟の幅と段数に比例して厚くなってしまうという問題があった。また、特に段数が多い場合すなわち天井が高い場合においては、収納枠の高さも厚くせざるを得ないので、このように収納枠の高さを厚くすると、ベランダの床の厚みから下方にはみ出して、見苦しいという問題もあった。
【０００４】
この問題を解決する手段として、縦桟の幅を小さくすることが考えられるが、縦桟の幅を小さくすることは強度の低下を招き、段数に比例して、縦桟の強度を増大しなければならないこととの間で二律背反性の問題がある。
【０００５】
この発明は、上記事情に鑑みてなされたもので、強度の向上を図ると共に、折畳み状態の厚みを薄くできるようにした避難用梯子を提供することを目的とするものである。
【課題を解決するための手段】
【０００６】
上記課題を解決するために、この発明の避難用梯子は、複数の縦桟をパンタグラフ状に連結してなる上下方向に伸縮可能な一対の伸縮体と、これら伸縮体間に配設され上記縦桟の下端部に連結される足掛け用横桟とを具備する避難用梯子を前提とし、上記縦桟は、連結される縦桟と背中合わせに重ねられる垂直片と、この垂直片の下端から外方側に折曲される水平片と、水平片の先端から下方に向かって折曲される横桟取付片とを具備する断面略クランク状に形成され、この縦桟の長手方向における下端部に、折り畳まれた際に隣接する縦桟の横桟取付部を収容する切欠き段部を形成してなることを特徴とする（請求項１）。
【０００７】
この発明において、上記縦桟における垂直片の上端及び横桟取付片の下端に、それぞれ補強片を折曲する方が好ましい（請求項２）。
【０００８】
また、上記縦桟の切欠き段部における垂直片及び補強片の端部面を塞ぎ板にて閉塞する方が好ましい(請求項３)。
【０００９】
また、連結される縦桟における垂直片のいずれか一方に、他方の垂直片に設けられた透孔内に嵌挿されるバーリング部を設け、このバーリング部内を挿通するリベットにて縦桟同士を回動自在に枢着して縦桟同士を連結する方が好ましい（請求項４）。
【００１０】
加えて、上記縦桟の横桟取付片に、横桟の端部を配設し、縦桟の長手方向における異なる位置の水平片及び横桟取付片を貫通する固定部材にて横桟を固定する方が好ましい（請求項５）。この場合、上記横桟を、断面略コ字状に形成すると共に、縦桟の横桟取付片に固定される取付端部以外を縦桟の水平片及び固定部材の頭部高さより若干外方側に隆起する膨隆部を形成し、かつ、開口縁部に、開口内方側に屈曲される補強屈曲片を形成する方が好ましい（請求項６）。
【発明の効果】
【００１１】
この発明の避難用梯子は、上記のように構成されているので、以下のような効果が得られる。
【００１２】
（１）請求項１記載の発明によれば、パンタグラフ状の伸縮体を構成する縦桟を、連結される縦桟と背中合わせに重ねられる垂直片と、この垂直片の下端から外方側に折曲される水平片と、水平片の先端から下方に向かって折曲される横桟取付片とを具備する断面略クランク状に形成することにより、縦桟に強度をもたせることができる。また、縦桟の長手方向における下端部に、折り畳まれた際に隣接する縦桟の横桟取付部を収容する切欠き段部を形成することにより、折畳み状態において、切欠き段部内に隣接する縦桟の横桟取付部を収容することができるので、折畳み状態の梯子の厚みを薄くすることができる。したがって、梯子の強度の向上を図ると共に、折畳み状態の厚みを薄くすることができる。
【００１３】
（２）請求項２記載の発明によれば、縦桟における垂直片の上端及び横桟取付片の下端に、それぞれ補強片を折曲するので、上記（１）に加えて更に縦桟の強度を向上することができると共に、梯子の強度の向上を図ることができる。
【００１４】
（３）請求項３記載の発明によれば、縦桟の切欠き段部における垂直片及び補強片の端部面を塞ぎ板にて閉塞することにより、梯子の折畳み時（収納時）及び展開時に縦桟の端部同士が干渉する（引っ掛かる）のを防止することができるので、上記（１）に加えて更に梯子の収納及び展開を円滑にすることができる。
【００１５】
（４）請求項４記載の発明によれば、連結される縦桟における垂直片のいずれか一方に、他方の垂直片に設けられた透孔内に嵌挿されるバーリング部を設け、このバーリング部内を挿通するリベットにて縦桟同士を回動自在に枢着して縦桟同士を連結することにより、バーリングによって連結部の強度を向上させることができると共に、リベットの軸径を小さくすることができる。したがって、上記（１）に加えて更に縦桟同士の連結部の強度の向上が図れると共に、垂直片の高さすなわち縦桟の高さを小さくして梯子の折畳み状態の厚みを薄くすることができる。
【００１６】
（５）請求項５記載の発明によれば、縦桟の横桟取付片に、横桟の端部を配設し、縦桟の長手方向における異なる位置の水平片及び横桟取付片を貫通する固定部材にて横桟を固定することにより、縦桟と横桟とを交差方向に強固に固定することができるので、上記（１）に加えて更に梯子のガタツキをなくし、撓みと揺れを防止して避難の安全性の向上が図れると共に、梯子の寿命の増大が図れる。
【００１７】
（６）請求項６記載の発明によれば、横桟を、断面略コ字状に形成すると共に、外側縦桟の横桟取付片に固定される取付端部以外を縦桟の水平片及び固定部材の頭部高さより若干外方側に隆起する膨隆部を形成し、かつ、開口縁部に、開口内方側に屈曲される補強屈曲片を形成することにより、横桟の強度の向上が図れると共に、避難者が避難する際に横桟を掴んで避難する場合に、横桟を掴み易くすることができる。したがって、上記（５）に加えて更に梯子の強度の向上及び寿命の増大を図ることができると共に、避難者の安全性の向上を図ることができる。
【発明を実施するための最良の形態】
【００１８】
以下に、この発明の最良の実施形態を添付図面に基づいて詳細に説明する。
【００１９】
図１は、この発明に係る避難用梯子の使用状態（展開状態）を示す斜視図、図２は、避難用梯子の平面図、図３は、避難用梯子の折畳み状態（収納状態）を示す側面図、図４は、避難用梯子の折畳み状態（収納状態）を示す正面図、図５は、避難用梯子の使用状態（展開状態）の要部を示す斜視図（ａ）及び折畳み状態（収納状態）の要部を示す斜視図（ｂ）である。
【００２０】
上記避難用梯子１０は、複数の外側縦桟１１と内側縦桟１２をパンタグラフ状に連結してなる上下方向に伸縮可能な左右一対の伸縮体１３と、これら伸縮体１３間の外側縦桟の下端部に連結された複数の足掛け用横桟１４とで主に構成されている。なお、外側縦桟１１の上端部と内側縦桟１２の下端部とは図示しないピンによって回動自在に枢着（連結）され、外側縦桟１１の下端部近傍位置と内側縦桟１２上端部とは図示しないピンによって回動自在に枢着（連結）されている。
【００２１】
上記梯子１０の最上部の外側縦桟１１は、床、ベランダ等のスラブ１に穿設されたスラブ開口２にシール部材（図示せず）を介して嵌挿固定された収納枠３の内側面に固着された梯子受け部材４に枢着されている。なお、最上部の外側縦桟１１は、梯子受け部材４に一端が枢着される平行リンク６０とで４節平行リンク機構を形成している。
【００２２】
上記収納枠３には、スラブ開口２の床面側の上方蓋５と、スラブ１の真下の階における天井面側の下方蓋６とが開閉可能に枢着されている。これら上方蓋５及び下方蓋６は、リンク機構７を介して相互に連結されており、上方蓋５が上方に開放されると、この上方蓋５が直立姿勢を固定保持すると共に、下方蓋６が連動して自動的に下方に開放されるように構成されている。また、梯子１０の先端には、緩降装置８が設けられている。この緩降装置８は、図示していない巻取ドラムを内蔵したラチェット機構を具備しており、巻取ドラムに巻回されるワイヤロープ８ａが梯子１０の下端側の内側縦桟１２間に架設されるワイヤ受け９にフック９ａを介して連結されている。この緩降装置８により、上方及び下方蓋５，６が開放されたとき、梯子１０は制御されながら伸長下降し、またワイヤロープ８ａの巻取によって梯子１０が引上げられて収納枠３内へ収納されるようになっている。
【００２３】
このように構成された外側縦桟１１と内側縦桟１２とは、スチール等の金属板を曲げ加工することによって図５及び図６に示すように断面略クランク状に形成されている。
【００２４】
上記外側縦桟１１は、連結する内側縦桟１２と背中合わせに重ねられる垂直片２１と、この垂直片２１の下端から外方側に折曲される水平片２２と、水平片２２の先端から下方に向かって折曲される横桟取付片２３とを具備する断面略クランク状に形成されて、強度の維持が図られている。また、外側縦桟１１の長手方向における下端部には、梯子１０が折り畳まれた際に隣接する外側縦桟１１の横桟取付部２４を収容する切欠き段部２５が形成されている。この場合、垂直片２１の上端及び横桟取付片２３の下端に、それぞれ補強片２６，２７が略直交状に折曲されている。
【００２５】
なお、内側縦桟１２は、外側縦桟１１の垂直片２１と背中合わせに重ねられる下部垂直片２１ａの上端と上部垂直片２１ｂの下端とを水平片２２で連結して、外側縦桟１１と同様に、断面略クランク状に形成されている。また、上部垂直片２１ｂの上端及び下部垂直片２１ａの下端に、それぞれ補強片２６，２７が略直交状に折曲されている。
【００２６】
また、連結される外側縦桟１１と内側縦桟１２における垂直片２１又は下部垂直片２１ａのいずれか一方（図面では下部垂直片２１ｂ）に、他方すなわち外側縦桟１１の垂直片２１に設けられた透孔３０内に嵌挿されるバーリング部３１が設けられており、このバーリング部３１内に挿通されてかしめによって固定されるブラインドリベット３２にて外側縦桟１１と内側縦桟１２とが回動自在に枢着（連結）されている（図６参照）。ここでは、内側縦桟１２の下部垂直片２１ａにバーリング部３１を設け、外側縦桟１１の垂直片２１に透孔３０を設けているが、逆にしてもよい。すなわち、外側縦桟１１の垂直片２１にバーリング部３１を設け、内側縦桟１２の下部垂直片２１ａに透孔３０を設けてもよい。
【００２７】
このように、連結される外側縦桟１１と内側縦桟１２における垂直片２１又は下部垂直片２１ａのいずれか一方に、他方の垂直片２１（２１ａ）に設けられた透孔３０内に嵌挿されるバーリング部３１を設け、このバーリング部３１内に挿通されるブラインドリベット３２にて外側縦桟１１と内側縦桟１２とを回動自在に枢着（連結）することにより、外側縦桟１１と内側縦桟１２の連結部の強度を向上させることができる。また、透孔３０内にバーリング部３１を嵌挿するので、ブラインドリベット３２の軸径を小さくすることができるので、ブラインドリベット３２の頭部３２ａの径も小さくすることができ、その分、垂直片２１の高さを低くすることができ、外側縦桟１１の高さ方向の幅を小さくすることができる。
【００２８】
上記のように構成することにより、外側縦桟１１及び内側縦桟１２の板厚を薄くしても強度を高めることができるため、部材（材料）の削減が図れると共に、梯子１０全体の重量を低減することができ、梯子１０の収納時に大きな力を要せずに容易に動作することができる。
【００２９】
また、図７に示すように、外側縦桟１１の切欠き段部２５における垂直片２１及び補強片２７の端部面には、塞ぎ板４０が例えば曲げ起こし等によって閉塞されている。このように、外側縦桟１１の切欠き段部２５における垂直片２１及び補強片２７の端部面を塞ぎ板４０で閉塞することにより、梯子１０の折畳み時（収納時）及び展開時に外側縦桟１１の端部同士が干渉する（引っ掛かる）のを防止することができるので、梯子１０の収納及び展開を円滑にすることができる。
【００３０】
一方、横桟１４は、スチール等の金属板を曲げ加工することによって図７ないし図９に示すように断面略コ字状に形成されており、横桟１４の両端部は、それぞれ外側縦桟１１の横桟取付片２３の内方側（具体的には、水平片２２と横桟取付片２３及び補強片２７によって形成された凹状部内）に配設された状態で、外側縦桟１１の長手方向における異なる位置の水平片２２及び横桟取付片２３を貫通する固定部材である第１のブラインドリベット５１と第２のブラインドリベット５２によって外側縦桟１１に固定されている。なお、横桟１４における開口部と対向する水平片１４ｄの表面には、散点状の多数の滑り止め用突起１４ｅが突設されている（図２参照）。
【００３１】
ここで、横桟１４の固定位置を外側縦桟１１の長手方向の異なる位置にずらした理由は、外側縦桟１１と横桟１４とを交差方向に強固に固定するためである。すなわち、第１のブラインドリベット５１によって外側縦桟１１の水平片２２と直交する方向を固定し、第２のブラインドリベット５２によって外側縦桟１１の水平片２２と平行する方向を固定したためである。これにより、梯子１０のガタツキをなくし、撓みと揺れを防止することができるので、避難の安全性の向上が図れると共に、梯子１０の寿命の増大が図れる。
【００３２】
また、横桟１４は、外側縦桟１１の横桟取付片２３内に固定される取付端部１４ａ以外が外側縦桟１１の水平片２２及び第１のブラインドリベット５１の頭部５１ａの高さより若干外方側に隆起する膨隆部１４ｂが形成され、かつ、開口縁部に、開口内方側に屈曲される補強屈曲片１４ｃが形成されている。このように構成することにより、横桟１４の強度の向上が図れると共に、避難者が避難する際に横桟１４を掴んで避難する場合に、横桟１４を掴み易くすることができる。また、取付端部１４ａと膨隆部１４ｂとの段差によって折畳み時の第１のブラインドリベット５１の頭部５１ａを収納する空間を確保することができるので、隣接する外側縦桟１１同士及び横桟１４同士を接触させた状態に積み重ねることができる。
【００３３】
上記のように構成される梯子１０は、折畳み時（収納時）には、外側縦桟１１の下端部に設けられた切欠き段部２５内に、隣接する外側縦桟１１の横桟取付部２４を収納するので、積み重ねられる２段の外側縦桟１１の高さを、外側縦桟１１の高さ幅とほぼ同じにすることができる。したがって、折畳み時（収納時）の梯子１０の厚みを、従来の断面略コ字状あるいは矩形状（長方形状）のものに比べて著しく薄くすることができ、段数が多い場合においても、収納枠3がスラブ１の下面（天井面）に突出する恐れがない。
【図面の簡単な説明】
【００３４】
【図１】この発明に係る避難用梯子の使用状態（展開状態）を示す斜視図である。
【図２】上記避難用梯子の一部を拡大断面で示す平面図である。
【図３】上記避難用梯子の折畳み状態（収納状態）を示す側面図である。
【図４】上記避難用梯子の折畳み状態（収納状態）を示す正面図である。
【図５】上記避難用梯子の使用状態（展開状態）の要部を示す斜視図（ａ）及び折畳み状態（収納状態）の要部を示す斜視図（ｂ）である。
【図６】この発明における外側縦桟と内側縦桟の連結部を示す分解斜視図（ａ）、縦桟の連結状態を示す斜視図（ｂ）及び（ｂ）のＩ−Ｉ線に沿う断面図（ｃ）である。
【図７】この発明における外側縦桟と横桟の取付状態を示す斜視図である。
【図８】図７のII−II線に沿う断面図である。
【図９】図７のIII−III線に沿う断面図である。
【符号の説明】
【００３５】
１０  梯子
１１  外側縦桟
１２  内側縦桟
１３  伸縮体
１４  足掛け用横桟
１４ａ  取付端部
１４ｂ  膨隆部
１４ｃ  補強屈曲片
２１  垂直片
２１ａ  下部垂直片
２１ｂ  上部垂直片
２２  水平片
２３  横桟取付片
２４  横桟取付部
２５  切欠き段部
２６，２７  補強片
３０  透孔
３１  バーリング部
３２  ブラインドリベット
４０  塞ぎ板
５１  第１のブラインドリベット（固定部材）
５２  第２のブラインドリベット（固定部材）
【図１】
2005040469.tif 000003
【図２】
2005040469.tif 000004
【図３】
2005040469.tif 000005
【図４】
2005040469.tif 000006
【図５】
2005040469.tif 000007
【図６】
2005040469.tif 000008
【図７】
2005040469.tif 000009
【図８】
2005040469.tif 000010
【図９】
2005040469.tif 000011